(57)【要約】【課題】  フレネルレンズアレイ３０をフィルム化した場合でも、シンチレーションの発生を防止することが可能な、透過型スクリーン２０を提供する。【解決手段】  フレネルレンズアレイ３０の光源側には映像光を拡散させる第１拡散部３４が形成され、レンチキュラーレンズアレイ４０の観察者側における結像位置の近傍には映像光を拡散させる第２拡散部４６が形成され、第２拡散部４６の観察者側にはレンチキュラーレンズアレイ４０の剛性を確保する支持基板５０が固着され、支持基板５０の観察者側の表面には映像光を拡散させる第３拡散部５２が形成されている構成とした。【選択図】        図２
2006184560.tif 000002
【特許請求の範囲】
【請求項１】
映像光を略平行光に変換するフレネルレンズアレイが光源側に配置され、前記映像光を単位レンズごとに発散させる拡散レンズアレイが観察者側に配置されてなる透過型スクリーンであって、
前記フレネルレンズアレイはフィルム状に形成され、
前記フレネルレンズアレイの光源側には、前記映像光を拡散させる第１拡散部が形成され、
前記拡散レンズアレイの観察者側における結像位置の近傍には、前記映像光を拡散させる第２拡散部が形成され、
前記第２拡散部の観察者側には、前記映像光を拡散させる第３拡散部が形成されていることを特徴とする透過型スクリーン。
【請求項２】
前記第２拡散部の観察者側には、前記拡散レンズアレイの剛性を確保する支持基板が固着され、
前記第３拡散部は、前記支持基板の観察者側の表面に形成されていることを特徴とする請求項１に記載の透過型スクリーン。
【請求項３】
前記第２拡散部の観察者側には、透明部材が固着され、
前記透明部材の観察者側には、前記拡散レンズアレイの剛性を確保する支持基板が配置され、
前記第３拡散部は、前記支持基板の観察者側の表面に形成されていることを特徴とする請求項１に記載の透過型スクリーン。
【請求項４】
前記第２拡散部の観察者側には、所定厚さの透明部材が固着され、
前記透明部材の観察者側には、前記拡散レンズアレイの剛性を確保する支持基板が配置され、
前記第３拡散部は、前記支持基板の光源側の表面に形成されていることを特徴とする請求項１に記載の透過型スクリーン。
【請求項５】
前記第１拡散部と前記第３拡散部との距離は、２ｍｍ以上であることを特徴とする請求項１ないし請求項４のいずれかに記載の透過型スクリーン。
【請求項６】
請求項１ないし請求項５のいずれかに記載の透過型スクリーンを備えたことを特徴とする背面投射型ディスプレイ装置。
【発明の詳細な説明】
【技術分野】
【０００１】
本発明は、透過型スクリーンおよび背面投射型ディスプレイ装置に関するものである。
【背景技術】
【０００２】
透過型スクリーンを備えた背面投射型ディスプレイ装置として、リアプロジェクションテレビが知られている。リアプロジェクションテレビは、光源としてのプロジェクタから映像光を投射し、反射鏡により反射させて、略長方形平板状をなす透過型スクリーンの背面に入射させるものである。これにより、透過型スクリーンの正面に位置する観察者が、透過した映像光を観察することができるようになっている。
【０００３】
図４は、従来技術に係る透過型スクリーンの平面断面図である。透過型スクリーン９２０は、映像光を略平行光に変換するフレネルレンズアレイ３０が光源側に配置され、映像光を単位レンズごとに発散させるレンチキュラーレンズアレイ（拡散レンズアレイ）４０が観察者側に配置されて構成されている（例えば、特許文献１および２参照）。
【０００４】
フレネルレンズアレイ３０は、基材３２の観察者側に配置されたフレネルレンズ３１と、基材３２の光源側に装着された第１拡散板３３とを備えている。この第１拡散板３３により、フレネルレンズアレイ３０の自立性（剛性）が確保されている。
一方、レンチキュラーレンズアレイ４０は、光透過性材料からなる基材４２と、その光源側に配置されたレンチキュラーレンズ４１とを備えている。基材４２の観察者側には遮光層４５が形成され、その遮光層４５を覆うように配設された接着剤４４を介して、第２拡散板４３が固着されている。
そして、フレネルレンズアレイ３０およびレンチキュラーレンズアレイ４０の周縁部に配置した枠体（不図示）により両者が共締めされて、透過型スクリーン９２０が形成されている。
【０００５】
このように、従来の透過型スクリーン９２０では、フレネルレンズアレイ３０に第１拡散板３３が配置され、レンチキュラーレンズアレイ４０に第２拡散板４３が配置されている。これにより、映像のシンチレーションが防止されている。シンチレーションとは、観察者の視点の変化に伴って映像光の輝度が変化し、画像がぎらついて見える現象である。上記のように、所定距離を置いて肉厚の第１拡散板３３および第２拡散板４３を配置することにより、映像光の輝度分布が平均化されて、映像のシンチレーションを防止しうるようになっている。
【特許文献１】特開２００２−２３６３１９号公報
【特許文献２】米国特許第６３０７６７５号明細書
【特許文献３】特許第３００２４７７号公報
【特許文献４】実開平１−１１７６３４号公報
【発明の開示】
【発明が解決しようとする課題】
【０００６】
上述したフレネルレンズアレイ３０の第１拡散板３３は、比較的厚く形成される。そのため、透過型スクリーン９２０が重厚になり、なおかつコストが高くなる。しかも、第１拡散板３３が厚くなると、透過型スクリーン９２０のフォーカスが甘くなり、解像度および鮮鋭度が悪くなる。
【０００７】
そこで、フレネルレンズアレイ３０のフィルム化が検討されている（例えば、特許文献３および４参照）。これは、基材３２の光源側表面の粗面化等により第１拡散部を形成し、第１拡散板３３を廃止して、フレネルレンズアレイ３０を厚さ０．８ｍｍ以下に薄型化するものである。これにより、透過型スクリーン９２０を軽薄化し、なおかつ低コスト化することができる。しかも、透過型スクリーン９２０の解像度および鮮鋭度を向上させることができる。
【０００８】
しかしながら、第１拡散板３３に代えて第１拡散部を設けることにより、第２拡散板４３との距離が小さくなる。その結果、映像のシンチレーションが発生するおそれがある。
本発明は、上記課題を解決するためになされたものであって、フレネルレンズアレイをフィルム化した場合でも、映像のシンチレーションを防止することが可能な、透過型スクリーンの提供を目的とする。
また、表示品質に優れた背面投射型ディスプレイ装置の提供を目的とする。
【課題を解決するための手段】
【０００９】
上記目的を達成するため、本発明に係る透過型スクリーンは、映像光を略平行光に変換するフレネルレンズアレイが光源側に配置され、前記映像光を単位レンズごとに発散させる拡散レンズアレイが観察者側に配置されてなる透過型スクリーンであって、前記フレネルレンズアレイはフィルム状に形成され、前記フレネルレンズアレイの光源側には、前記映像光を拡散させる第１拡散部が形成され、前記拡散レンズアレイの観察者側における結像位置の近傍には、前記映像光を拡散させる第２拡散部が形成され、前記第２拡散部の観察者側には、前記映像光を拡散させる第３拡散部が形成されていることを特徴とする。
この構成によれば、映像光の結像位置の近傍に配置された第２拡散部において映像光を拡散することにより映像光の輝度分布が発生する場合でも、その結像位置から離れて配置された第１拡散部および第３拡散部において映像光を拡散することにより、映像光の輝度分布を平均化することができる。したがって、映像のシンチレーションを防止することができる。
【００１０】
また、前記第２拡散部の観察者側には、前記拡散レンズアレイの剛性を確保する支持基板が固着され、前記第３拡散部は、前記支持基板の観察者側の表面に形成されていることが望ましい。
また、前記第２拡散部の観察者側には透明部材が固着され、前記透明部材の観察者側には、前記拡散レンズアレイの剛性を確保する支持基板が配置され、前記第３拡散部は、前記支持基板の観察者側の表面に形成されていることが望ましい。
これらの構成によれば、支持基板により拡散レンズアレイの剛性を確保しうるとともに、映像のシンチレーションを防止することができる。
【００１１】
また、前記第２拡散部の観察者側には所定厚さの透明部材が固着され、前記透明部材の観察者側には、前記拡散レンズアレイの剛性を確保する支持基板が配置され、前記第３拡散部は、前記支持基板の光源側の表面に形成されていることが望ましい。
この構成によれば、支持基板により拡散レンズアレイの剛性を確保しうるとともに、映像のシンチレーションを防止することができる。しかも、透明部材の厚さにより第２拡散部と第３拡散部との距離を適宜設定することができるので、映像におけるボケの発生を防止することができる。
【００１２】
また、前記第１拡散部と前記第３拡散部との距離は、２ｍｍ以上であることが望ましい。
この構成によれば、映像のシンチレーションを確実に防止することができる。
【００１３】
一方、本発明に係る背面投射型ディスプレイ装置は、上述した透過型スクリーンを備えたことを特徴とする。
この構成によれば、映像のシンチレーションを防止しうる透過型スクリーンを備えているので、表示品質に優れた背面投射型ディスプレイ装置を提供することができる。
【発明の効果】
【００１４】
本発明の透過型スクリーンによれば、映像光の結像位置の近傍に配置された第２拡散部において映像光を拡散することにより映像光の輝度分布が発生する場合でも、その結像位置から離れて配置された第１拡散部および第３拡散部において映像光を拡散することにより、映像光の輝度分布を平均化することができる。したがって、映像のシンチレーションを防止することができる。
【発明を実施するための最良の形態】
【００１５】
（第１実施形態）
以下、本発明の第１実施形態につき、図面を参照しながら詳細に説明する。
（背面投射型ディスプレイ装置）
図１は、背面投射型ディスプレイ装置の一例であるリアプロジェクションテレビの側面断面図である。図１に示すリアプロジェクションテレビ１０は、映像光を投射する光源としてのプロジェクタ１２と、映像光を反射する反射鏡１３，１４と、映像光を背面から入射させ正面から出射させる透過型スクリーン２０と、透過型スクリーン２０の正面を外部に露出させつつ全体を覆う筐体１１とを主として構成されている。
【００１６】
（透過型スクリーン）
図２は、第１実施形態に係る透過型スクリーンの平面断面図である。一般に、透過型スクリーン２０は、映像光を略平行光に変換するフレネルレンズアレイ３０が光源側に配置され、映像光を単位レンズごとに発散させるレンチキュラーレンズアレイ（拡散レンズアレイ）４０が観察者側に配置されて構成されている。特に、第１実施形態に係る透過型スクリーン２０では、フレネルレンズアレイ３０がフィルム状に形成され、フレネルレンズアレイ３０の光源側には、映像光を拡散させる第１拡散部３４が形成され、またレンチキュラーレンズアレイ４０の観察者側における結像位置の近傍には、映像光を拡散させる第２拡散部４６が形成されている。そして、第２拡散部４６の観察者側には、レンチキュラーレンズアレイ４０の剛性を確保する支持基板５０が固着され、支持基板５０の観察者側の表面に、第３拡散部５２が形成されている。
【００１７】
（フレネルレンズアレイ）
フレネルレンズアレイ３０は、基材３２の光源側に、複数のフレネルレンズ３１を配置して構成されている。基材３２は、ポリエチレンテレフタレート（ＰＥＴ）等の光透過性を有する材料により、横長の略長方形状に形成されている。フレネルレンズ３１は、アクリル等の光硬化性および光透過性を有する樹脂材料等からなる突条を、同心円状に配置して構成されている。このフレネルレンズ３１は、当該部分に入射した映像光を屈折させ、略平行光に変換して出射させるものである。そのため、各フレネルレンズ３１は、映像光の入射角度に応じた傾斜面を備えている。
【００１８】
一方、基材３２の観察者側には、第１拡散部３４が形成されている。第１拡散部３４は、基材３２の観察者側の表面にマット処理を施して、その表面を粗面化することにより形成されている。なお、基材３２の観察者側に拡散フィルムを装着して、第１拡散部３４を形成してもよい。このようなフレネルレンズアレイ３０は、厚さ０．２〜０．８ｍｍ程度のフィルム状に形成されている。
【００１９】
このフレネルレンズアレイ３０を製造するには、まず基材３２となるＰＥＴフィルムの片面を粗面化する。なお、予め片面が粗面化されたＰＥＴフィルムを使用してもよい。次に、フレネルレンズ３１の逆形状が形成された金型内に、基材３２を配置するとともに、光硬化性樹脂を充填する。そして、基材３２の背面から光を照射し、光硬化性樹脂を硬化させて、フレネルレンズアレイ３０を形成する。なお、フレネルレンズ３１の逆形状が形成されたロールを用いて、フレネルレンズアレイ３０を連続形成することも可能である。
【００２０】
（レンチキュラーレンズアレイ）
一方、レンチキュラーレンズアレイ４０は、基材４２の光源側に、複数のレンチキュラーレンズ４１を配置して構成されている。基材４２は、ポリエチレンテレフタレート（ＰＥＴ）等の光透過性を有する材料により、横長の略長方形状に形成されている。レンチキュラーレンズ４１は、アクリル等の光硬化性および光透過性を有する樹脂材料等からなる、略半円柱状のシリンドリカルレンズである。そして、レンチキュラーレンズ４１の長手方向をスクリーンの上下方向に一致させて、複数のレンチキュラーレンズ４１がスクリーンの左右方向に並列配置されている。なお、各レンチキュラーレンズ４１の配列ピッチは１．０ｍｍ以下（好ましくは０．２ｍｍ以下）に設定され、ファインピッチのレンチキュラーレンズアレイ４０が構成されている。
【００２１】
また、基材４２の観察者側には、光吸収性材料からなる遮光層４５が設けられている。この遮光層４５は、基材４２の観察者側の表面であって、レンチキュラーレンズ４１による映像光の非集光部に、ストライプ状に形成されている。その遮光層４５を覆うように、第２拡散部４６が形成されている。第２拡散部４６は、光透過性を有する樹脂製接着剤の内部にシリカ等の光拡散材を分散させて構成され、レンチキュラーレンズ４１による映像光の結像位置の近傍に形成されている。なお、基材４２の観察者側に所定厚さの拡散フィルムを装着して、第２拡散部４６を形成してもよい。
【００２２】
さらに、第２拡散部４６を構成する接着剤を挟んで、基材４２の観察者側に、支持基板５０が装着されている。この支持基板５０は、メタクリル酸メチル（ＭＭＡ）とスチレンとの共重合体（ＭＳ）、ポリメタクリル酸メチル（ＰＭＭＡ）、またはガラス等の光透過性を有する材料により、厚さ１〜２ｍｍ程度に形成されている。支持基板５０の観察者側には、第３拡散部５２が形成されている。第３拡散部５２は、支持基板５０の観察者側の表面にマット処理を施して、その表面を粗面化することにより形成されている。なお、支持基板５０の観察者側に拡散フィルムを装着して、第３拡散部５２を形成してもよい。
【００２３】
（固着構造）
そして、フレネルレンズアレイ３０の周縁部にシール剤（不図示）が配設されて、フレネルレンズアレイ３０とレンチキュラーレンズアレイ４０とが固着されている。また、シール剤によって両者間の周縁部が密閉封止され、両者間の中央部にはシール剤によって囲まれた空間が形成されている。この空間の内部圧力は、外部圧力より低く設定されている。これにより、フィルム状に形成されたフレネルレンズアレイ３０の中央部が、レンチキュラーレンズアレイから浮上るのを防止している。その結果、映像光の光路の乱れが防止され、映像光を所定位置で結像させることが可能になり、映像におけるボケの発生を防止することができるようになっている。
【００２４】
なお、フレネルレンズアレイ３０とレンチキュラーレンズアレイ４０との固着構造は上記に限られず、例えばフレネルレンズアレイ３０を構成する複数のフレネルレンズ３１の頂部に接着剤を配設し、その接着剤によってフレネルレンズアレイ３０とレンチキュラーレンズアレイ４０とを固着してもよい。また、フレネルレンズアレイ３０の表面に接着剤のラインを格子状に配設し、その接着剤によってフレネルレンズアレイ３０とレンチキュラーレンズアレイ４０とを固着してもよい。
【００２５】
以上のように、本実施形態に係る透過型スクリーン２０が構成されている。このスクリーン２０は、レンチキュラーレンズアレイ４０の観察者側に配置した支持基板５０により自立性が確保されるようになっている。
【００２６】
そして、本実施形態に係る透過型スクリーン２０では、フレネルレンズアレイ３０の第１拡散部３４、並びにレンチキュラーレンズアレイ４０の第２拡散部４６および第３拡散部５２の、３個の拡散部が形成されている。そのうち、第２拡散部４６が主たる拡散部として機能し、第１拡散部３４および第３拡散部５２が従たる拡散部として機能するようになっている。また、第１拡散部３４から第２拡散部４６までの距離は１ｍｍ程度に設定され、第１拡散部３４から第３拡散部５２までの距離は２ｍｍ以上（好ましくは３ｍｍ以上）に設定されている。
【００２７】
（映像表示方法）
次に、本実施形態に係る透過型スクリーンを備えた背面投射型ディスプレイ装置において、映像表示を行う方法につき、図１および図２を用いて説明する。
まず、図１に示すプロジェクタ１２から映像光を投射する。この映像光は、反射板１３および反射板１４により反射されて、透過型スクリーン２０の背面に入射する。
【００２８】
次に、図２に示す透過型スクリーン２０において、フレネルレンズアレイ３０に入射した映像光は、まず第１拡散部３４により弱く拡散され、基材３２を透過して、各フレネルレンズ３１に入射する。プロジェクタから放射状に投射された映像光は、各フレネルレンズ３１の傾斜面で屈折されて、略平行光に変換される。その後、フレネルレンズアレイ３０から出射された映像光は、フレネルレンズアレイ３０に密接配置されているレンチキュラーレンズアレイ４０に入射する。
【００２９】
レンチキュラーレンズアレイ４０に入射した映像光は、単位凸レンズであるレンチキュラーレンズ４１ごとに集光され、基材４２の観察者側の表面付近で結像する。なお、遮光層４５はレンチキュラーレンズ４１による映像光の非集光部に形成されているので、映像光はストライプ状の遮光層４５の隙間を透過する。そして、結像後の映像光は、レンチキュラーレンズ４１ごとに放射状に発散される。しかも、第２拡散部４６を透過する過程で映像光が強く拡散される。これにより、背面投射型ディスプレイ装置は広視野角を確保しうるようになっている。その後、映像光は支持基板５０を透過し、第３拡散部５２で弱く拡散されて、レンチキュラーレンズアレイ４０から出射される。
以上により、背面投射型ディスプレイ装置の透過型スクリーンから映像光が出射され、観察者に到達することによって映像表示が行われる。
【００３０】
上記のように、本実施形態の透過型スクリーン２０では、映像光が第２拡散部４６において強く拡散される。ここで、第２拡散部４６はレンチキュラーレンズアレイ４０による映像光の結像位置の近傍に形成されているので、映像光の輝度分布が発生しやすくなっている。しかしながら、本実施形態の透過型スクリーン２０では、レンチキュラーレンズアレイ４０による映像光の結像位置から離れて、第１拡散部３４および第３拡散部５２が配設されている。これらの拡散部において映像光を拡散することにより、映像光の輝度分布を平均化することができる。しかも、第１拡散部３４から第３拡散部５２までの距離が２ｍｍ以上（好ましくは３ｍｍ以上）に設定されているので、映像光の輝度分布を確実に平均化することができる。
なお、図２において、第２拡散部４６は遮光層４５に接して記載されているが、必ずしもその限りではなく、光学的に映像光の結像位置近傍に配置されていれば良い。より望ましくは、レンチキュラーレンズアレイ４０の集光位置の近傍であればよい。
【００３１】
以上に詳述したように、第１実施形態に係る透過型スクリーン２０は、フレネルレンズアレイ３０がフィルム状に形成され、フレネルレンズアレイ３０の光源側には映像光を拡散させる第１拡散部３４が形成され、レンチキュラーレンズアレイ４０の観察者側における結像位置の近傍には映像光を拡散させる第２拡散部４６が形成され、第２拡散部４６の観察者側にはレンチキュラーレンズアレイ４０の剛性を確保する支持基板５０が固着され、第２拡散部４６の観察者側であって支持基板５０の観察者側の表面には映像光を拡散させる第３拡散部５２が形成されている構成とした。
この構成によれば、映像光の結像位置の近傍に配置された第２拡散部４６において映像光を拡散することにより映像光の輝度分布が発生する場合でも、その結像位置から離れて配置された第１拡散部３４および第３拡散部５２において映像光を拡散することにより、映像光の輝度分布を平均化することができる。したがって、映像のシンチレーションを防止することができる。
【００３２】
（第２実施形態）
次に、第２実施形態に係る透過型スクリーンにつき、図３を用いて説明する。
図３は、第２実施形態に係る透過型スクリーンの平面断面図である。第２実施形態に係る透過型スクリーン２２０は、第２拡散部４６の観察者側に透明部材４８が固着され、透明部材の観察者側に、レンチキュラーレンズアレイ４０の剛性を確保する支持基板５０が配置され、支持基板５０の観察者側の表面に、第３拡散部５２が形成されているものである。なお、第１実施形態と同様の構成となる部分については、その詳細な説明を省略する。
なお、図３においても、第２拡散部４６は遮光層４５に接して記載されているが、必ずしもその限りではなく、光学的に映像光の結像位置近傍に配置されていれば良い。より望ましくは、レンチキュラーレンズアレイ４０の集光位置の近傍であればよい。
【００３３】
第２実施形態に係る透過型スクリーン２２０では、第２拡散部４６の観察者側に、透明部材４８が固着されている。この透明部材４８は、ＰＥＴ等の光透過性を有する材料によって構成されている。なお、レンチキュラーレンズアレイ４０の自立性（剛性）は支持基板５０によって確保されるので、透明部材４８を肉厚に形成する必要はない。これにより、第２実施形態のレンチキュラーレンズアレイ４０は、厚さ０．３〜１．０ｍｍ程度のフィルム状に形成されている。
【００３４】
また、透明部材４８の構成材料は、基材４２の構成材料（例えば、ＰＥＴ）に一致させることが望ましい。この点、従来の透過型スクリーンでは、熱や吸湿等による膨張率などの環境特性が異なる材料によりレンチキュラーレンズアレイ４０が構成されていても、レンチキュラーレンズアレイ４０における反りの発生を、フレネルレンズアレイ３０の剛性によって押さえ付けることができた。しかしながら、フレネルレンズアレイ３０のフィルム化により、レンチキュラーレンズアレイ４０の反りを防止することが困難になる。そこで、レンチキュラーレンズアレイ４０の基材４２と透明部材４８とを同じ材料で構成するか、または環境特性が類似する材料で構成することにより、レンチキュラーレンズアレイ４０の反りを防止することができる。
【００３５】
一方、透明部材４８の観察者側には、支持基板５０が配置されている。この支持基板５０は、第１実施形態の支持基板と同様に、ＭＳやＰＭＭＡ、ガラス等の材料により、厚さ１〜２ｍｍ程度に形成されている。支持基板５０は、透明部材４８に固着されることなく、単に隣接配置されている。これにより、透明部材４８と支持基板５０との環境特性の違いに起因して、レンチキュラーレンズアレイ４０に反りが発生するのを防止しうるようになっている。
【００３６】
そして、支持基板５０の観察者側には、第３拡散部５２が形成されている。第３拡散部５２は、支持基板５０の観察者側の表面にマット処理を施して、その表面を粗面化することにより形成されている。なお、支持基板５０の観察者側に拡散フィルムを装着して、第３拡散部５２を形成してもよい。
【００３７】
第２実施形態に係る透過型スクリーン２２０でも、第１実施形態と同様に、フレネルレンズアレイ３０の第１拡散部３４、並びにレンチキュラーレンズアレイ４０の第２拡散部４６および第３拡散部５２の、３個の拡散部が形成されている。そのうち、第２拡散部４６が主たる拡散部として機能し、第１拡散部３４および第３拡散部５２が従たる拡散部として機能するようになっている。また、第１拡散部３４から第２拡散部４６までの距離は１ｍｍ程度に設定され、第１拡散部３４から第３拡散部５２までの距離は２ｍｍ以上（好ましくは３ｍｍ以上）に設定されている。
【００３８】
この構成によれば、映像光の結像位置の近傍に配置された第２拡散部４６において映像光を拡散することにより映像光の輝度分布が発生する場合でも、その結像位置から離れて配置された第１拡散部３４および第３拡散部５２において映像光を拡散することにより、映像光の輝度分布を平均化することができる。したがって、映像のシンチレーションを防止することができる。
【００３９】
上述した第２実施形態では、第２拡散部４６の観察者側に透明部材４８を固着し、透明部材４８の観察者側に支持基板５０を配置して、支持基板５０の観察者側の表面に第３拡散部５２を形成した。この場合、第２拡散部４６から第３拡散部５２までの距離が長くなるので、映像にボケが生じるおそれがある。
そこで、支持基板５０の光源側の表面に第３拡散部５２を設けてもよい。この場合には、透明部材４８を所定厚さに形成することによって、第２拡散部と第３拡散部との距離を適宜設定することが可能になり、映像におけるボケの発生を防止することができる。
【００４０】
なお、本発明の技術的範囲は、上述した実施形態に限定されるものではなく、本発明の趣旨を逸脱しない範囲において、上述した実施形態に種々の変更を加えたものを含む。すなわち、実施形態で挙げた具体的な材料や構成などはほんの一例に過ぎず、適宜変更が可能である。
【００４１】
例えば、上述した各実施形態では、拡散レンズアレイとしてレンチキュラーレンズアレイを採用したが、複数の単位レンズがマトリクス状に配列されてなるマイクロレンズアレイを採用することも可能である。また、拡散レンズアレイとして、第１のシリンドリカルレンズアレイおよび第２のシリンドリカルレンズアレイが交差するように配置されてなるクロスレンチレンズアレイを採用してもよい。さらに、拡散レンズアレイとして、映像光を反射して拡散させる複数の単位レンズが配列されてなるプリズムレンズアレイを採用してもよい。
【００４２】
また、上述した各実施形態では、レンチキュラーレンズアレイにおけるレンチキュラーレンズおよび基材を個別に形成したが、同一材料により一体的に形成することも可能である。同様に、フレネルレンズアレイにおけるフレネルレンズおよび基材を同一材料により一体的に形成することも可能である。
【００４３】
また、上述した各実施形態では、支持基板の観察者側の表面または光源側の表面に第３拡散部を設ける構成とした。この場合には、第３拡散部を容易に形成することが可能であり、コストを低減することができる。しかしながら、第３拡散部は、支持基板の厚さ方向の中間部に形成してもよい。この場合には、支持基板によりレンチキュラーレンズアレイの剛性を確保しつつ、第２拡散部と第３拡散部との距離を適宜設定することが可能になり、映像におけるボケの発生を防止することができる。
【図面の簡単な説明】
【００４４】
【図１】リアプロジェクションテレビの側面断面図である。
【図２】第１実施形態に係る透過型スクリーンの平面断面図である。
【図３】第２実施形態に係る透過型スクリーンの平面断面図である。
【図４】従来技術に係る透過型スクリーンの平面断面図である。
【符号の説明】
【００４５】
２０‥透過型スクリーン  ３０‥フレネルレンズアレイ  ３４‥第１拡散部  ４０‥レンチキュラーレンズアレイ  ４６‥第２拡散部  ５０‥支持基板  ５２‥第３拡散部
【図１】
2006184560.tif 000003
【図２】
2006184560.tif 000004
【図３】
2006184560.tif 000005
【図４】
2006184560.tif 000006